(57)【要約】【課題】  簡単に、日付等、指定された期間に記録された動画像のダイジェストを再生可能とする。【解決手段】  記録媒体から動画像信号と前記動画像信号の記録日時を示す付加情報とを再生する再生手段と、現在の日時をカウントする時計部と、前記記録媒体に記録された動画像信号のダイジェスト再生を指示する指示手段と、前記指示手段によるダイジェスト再生の指示があると、前記時計部から出力された日時の情報と前記再生手段により再生された前記付加情報とに基づいて、前記記録媒体に記録された動画像信号のうち、前記時計部から出力された日時情報が示す日付と同じ日付に記録された動画像信号を検出する検出手段と、前記検出手段により検出された動画像信号のダイジェストを再生するように前記再生手段を制御する制御手段とを備える。【選択図】  図２
2011060391.tif 000002
【特許請求の範囲】
【請求項１】
記録媒体から動画像信号と前記動画像信号の記録日時を示す付加情報とを再生する再生手段と、
現在の日時をカウントする時計部と、
前記記録媒体に記録された動画像信号のダイジェスト再生を指示する指示手段と、
前記指示手段によるダイジェスト再生の指示があると、前記時計部から出力された日時の情報と前記再生手段により再生された前記付加情報とに基づいて、前記記録媒体に記録された動画像信号のうち、前記時計部から出力された日時情報が示す日付と同じ日付に記録された動画像信号を検出する検出手段と、
前記検出手段により検出された動画像信号のダイジェストを再生するように前記再生手段を制御する制御手段とを備える再生装置。
【請求項２】
記録媒体から動画像信号と前記動画像信号の記録日時を示す付加情報とを再生する再生手段と、
日付を指定する手段と、
前記再生手段により再生された前記付加情報に基づいて、前記記録媒体に記録された動画像信号のうち、前記指定された日付と同じ日付に記録された動画像信号を検出する検出手段と、
前記検出手段により検出された動画像信号のダイジェストを再生するように前記再生手段を制御する制御手段とを備える再生装置。
【請求項３】
記録媒体から動画像信号と前記動画像信号の記録日時を示す付加情報とを再生する再生手段と、
時間を指定する手段と、
前記指定された時間に基づいて所定の期間を決定する手段と、
前記再生手段により再生された前記付加情報に基づいて、前記記録媒体に記録された動画像信号のうち、前記所定の期間に記録された動画像信号を検出する検出手段と、
前記検出手段により検出された動画像信号のダイジェストを再生するように前記再生手段を制御する制御手段とを備える再生装置。
【請求項４】
前記制御手段は、前記検出された動画像信号のうち、ダイジェストとして再生する時間を示すダイジェスト情報を生成することを特徴とする請求項１から３の何れか１項に記載の再生装置。
【発明の詳細な説明】
【技術分野】
【０００１】
本発明は再生装置に関する。
【背景技術】
【０００２】
従来、動画を撮影し、メモリカードなどの記録媒体に記録するビデオカメラが知られている。また、近年では、数十ギガバイト〜百数十ギガバイトといった大容量のハードディスク（ＨＤＤ）や半導体メモリを内蔵したビデオカメラが一般のユーザにも普及している。また、交換可能なメモリカードについても、近年では数十ギガバイトといった大容量のものが登場している。
【０００３】
この様に、大容量の記録媒体に対して大量の動画を記録した結果、ユーザはこれらの動画の中から所望の動画を見つけて再生しなければならない。
【０００４】
そこで、記録された大量の動画を短時間にまとめたダイジェストを再生することが考えられている（例えば、特許文献１参照）。
【先行技術文献】
【特許文献】
【０００５】
【特許文献１】特開平０６−１６５１０７
【発明の概要】
【発明が解決しようとする課題】
【０００６】
しかしながら、特許文献１に述べる方法では、記録媒体に記録された全ての動画のダイジェストを再生してしまい、例えば、撮影日にその日のうちの撮影がどうだったかを簡単に振り返りたいといった利用者の要求に応えられないという問題があった。
【０００７】
本発明はこの様な問題を解決し、簡単に、日付等、指定された期間に記録された動画像のダイジェストを再生可能な装置を提供することを目的とする。
【課題を解決するための手段】
【０００８】
本発明は、記録媒体から動画像信号と前記動画像信号の記録日時を示す付加情報とを再生する再生手段と、現在の日時をカウントする時計部と、前記記録媒体に記録された動画像信号のダイジェスト再生を指示する指示手段と、前記指示手段によるダイジェスト再生の指示があると、前記時計部から出力された日時の情報と前記再生手段により再生された前記付加情報とに基づいて、前記記録媒体に記録された動画像信号のうち、前記時計部から出力された日時情報が示す日付と同じ日付に記録された動画像信号を検出する検出手段と、前記検出手段により検出された動画像信号のダイジェストを再生するように前記再生手段を制御する制御手段とを備える。
【発明の効果】
【０００９】
簡単に、指定された期間に記録された動画像のダイジェストを再生することができる。
【図面の簡単な説明】
【００１０】
【図１】本発明の実施形態におけるビデオカメラの構成を示す図である。
【図２】ダイジェスト再生処理を示すフローチャートである。
【図３】動画像の検出処理を示すフローチャートである。
【発明を実施するための形態】
【００１１】
図１は本発明の実施形態におけるビデオカメラ１００の構成を示す図である。
【００１２】
図１において、撮像部１０１は被写体の画像を撮影し、動画像信号を出力する。音声入力部１１１は、マイクロフォンを有し、撮影中に入力された音声信号を出力する。表示部１０２は、撮影時においては撮像部１０１から出力された動画像信号の画像や、各種の情報を表示する。また、表示部１０２は、再生時においては、再生された動画像や各種の情報、更に、後述の如くダイジェスト再生された画像を表示する。また、表示部１０２は、制御部１０６からの指示により、メニュー画面など、必要な情報を表示する。信号処理部１０３は、撮影時には撮像部１０１から出力された動画像信号や音声入力部１１１からの音声信号に対して圧縮処理など必要な処理を施して記録再生部１０４に出力する。また、信号処理部１０３は、再生時には再生された動画像信号や音声信号に対して伸張処理など必要な処理を施して表示部１０２や出力部１０９に出力する。記録再生部１０４は、記録媒体１０５に対し、動画像信号や音声信号、或いはその他の情報を記録再生する。記録媒体１０５は、メモリカードやＨＤＤなどのランダムアクセス媒体である。本実施形態においては、記録媒体１０５は付図示の装着、排出機構によって交換可能であるが、ビデオカメラ１００に内蔵されていてもよい。
【００１３】
制御部１０６は、操作部１１０からの指示によりビデオカメラ１００の各部を制御する。操作部１１０は、電源スイッチや撮影開始、停止を指示するトリガスイッチ、再生モードへの切り替えスイッチ、メニュー表示のスイッチ等、各種のスイッチを備える。ユーザは操作部１１０を操作することにより、撮影、再生等を指示する。顔検出部１０７は、記録媒体１０５に記録された動画像のうち、顔が映っている画面を検出する。時計部１０８は現在の年、月、日付、時刻をカウントし、日時の情報として制御部１０６に出力する。時計部１０８は、ビデオカメラ１００の電源がオフされている時もカウントを継続する。出力部１０９は、撮影時においては撮影された動画像信号や入力された音声信号を外部に出力し、再生時においては再生された動画像信号や音声信号を出力する。メモリ１１２は、各種の情報を記憶するＲＡＭ等を含む。これら各ブロックは、バス１１３を介してデータのやりとりを行う。
【００１４】
まず、撮影時の処理について説明する。
【００１５】
操作部１１０より電源が投入されると、制御部１０６は各部を制御し、撮像部１０１で撮影された動画像を表示部１０２に表示する。この状態で操作部１１０により撮影開始の指示があると、制御部１０６は信号処理部１０３、記録再生部１０４を制御し、撮像部１０１から出力された動画像信号と音声入力部１１１からの音声信号を圧縮して記録媒体１０５に記録する。本実施形態では、記録媒体１０５に対して、動画像信号と音声信号とをファイルとして記録する。また、制御部１０６は、時計部１０８からの日時情報に基づいて、撮影開始時における年月日時を検出し、記録日時の情報としてファイルの付加情報に格納し、動画像信号と共に記録するよう、記録再生部１０４を制御する。そして、操作部１１０より撮影停止の指示があると、制御部１０６は各部を制御し、記録媒体１０５に対する動画像と音声の記録を停止する。本実施形態では、記録開始の指示から記録停止の指示までの間に記録媒体１０５に記録された一連のシーンの動画像信号及び音声信号を一つのファイルとして管理する。
【００１６】
次に、再生時の処理を説明する。
【００１７】
操作部１１０により再生モードへの切り替え指示があると、制御部１０６は各部を制御し、記録媒体１０５に記録された各シーンの代表画像（サムネイル）の一覧画面を作成し、表示部１０２に表示する。ユーザは、一覧画面に表示された代表画像のうち、所望のシーンの代表画像を選択し、再生開始を指示する。制御部１０６は、ユーザにより指示された代表画像に対応したシーンの動画ファイルを再生するように、記録再生部１０４を制御する。信号処理部１０３は、再生された動画ファイルに含まれる動画像信号を伸張し、表示部１０２に出力する。表示部１０２は、代表画像の一覧画面に代えて、再生された動画像を表示する。そして、再生停止の指示があると、再度、代表画像の一覧画面を表示部１０２に表示する。
【００１８】
次にダイジェスト再生処理について説明する。
【００１９】
本実施形態のビデオカメラ１００においては、撮影モード、或いは再生モードの何れにおいても、ユーザが操作部１１０を操作してメニュー画面を表示部１０２に表示し、このメニュー画面によりダイジェスト再生を指示することができる。制御部１０６は、操作部１１０によりメニュー表示の指示があると、表示部１０２に対してビデオカメラ１００の機能を設定するためのメニュー画面を表示する。そして、ユーザは、このメニュー画面からダイジェスト再生を指示することができる。
【００２０】
本実施形態では、ダイジェスト再生の機能として、記録媒体１０５に記録された動画像のうち、記録日時が現在の日付のものを自動的に選択し、当日撮影された動画像のダイジェストを作成する機能を持つ。
【００２１】
図２は、この様な当日に撮影された動画像のダイジェスト再生処理を示すフローチャートである。なお、図２の処理は、制御部１０６が各部を制御することにより実行される。
【００２２】
ダイジェスト再生の指示があると、記録媒体１０５に記録された各動画像について、現在の日付と同じ日付に撮影された動画像を検出する（Ｓ２０１）。そして、当日に撮影した動画があるかどうかを判別する（Ｓ２０２）。当日に撮影した動画が無かった場合には、その旨を示す警告画面を表示部１０２に表示し、処理を終了する（Ｓ２０５）。
【００２３】
また、当日に撮影した動画像があった場合、検出された動画像のダイジェスト情報を作成する（Ｓ２０３）。本実施形態では、例えば、検出された動画像において、顔検出部１０７により顔画像が検知された部分や、音声レベルの高い部分など、公知の方法を用いることができる。また、本実施形態では、ダイジェストとして、検出された動画像の一部を選択して再生する。そして、ダイジェスト情報は、検出された各動画ファイルのファイル名と、ダイジェストとして再生すべき期間の情報とを示している。この作成したダイジェストの情報を、メモリ１１２に記憶する。そして、ダイジェストの情報に従って、指定された部分を再生するように、記録再生部１０４を制御する（Ｓ２０４）。
【００２４】
図３は、Ｓ２０１の当日に撮影された動画像を検出する処理を示すフローチャートである。
【００２５】
まず、記録媒体１０５に記録された動画像ファイルのうちの何れかを選択する（Ｓ３０１）。ここでは、ファイル名の順にソートした結果に従い、先頭のファイルを選択するが、もちろん、これ以外の方法でもよい。
【００２６】
次に、選択した動画ファイルの付加情報に格納された記録日時の情報を確認する。そして、記録日が、現在の日付であるかどうかを判別する（Ｓ３０２）。現在の日付で無かった場合には、次の動画ファイルを選択し（Ｓ３０５）、Ｓ３０２に戻る。
【００２７】
また、選択した動画ファイルの記録日が現在の日付であった場合、この動画ファイルのファイル名をメモリ１１２に記憶する（Ｓ３０３）。そして、残りの動画ファイルがあるかどうかを判別し（Ｓ３０４）、残りの動画ファイルがある場合には、Ｓ３０５に進んで次の動画ファイルを選択する。また、残りの動画ファイルが無い場合には、処理を終了する。
【００２８】
この様に、本実施形態によれば、ユーザが当日撮影された動画のダイジェスト再生を指示すると、記録媒体１０５に記録された動画像のうち、当日に撮影された動画を自動的に検出する。そして、検出した動画像のダイジェストを生成し、再生するので、ユーザは、簡単な操作で、当日撮影した画像の概要をダイジェストによって簡単に確認することができる。
【００２９】
なお、本実施形態では、ダイジェスト再生が指示された日付と撮影日が一致する動画を検出し、ダイジェストを作成していた。これ以外にも、例えば、ユーザが撮影日を指定すると、記録された動画像のうち、指定された撮影日のものを自動的に検出し、ダイジェストを作成するようにしてもよい。
【００３０】
具体的には、操作部１１０によりダイジェスト再生の指示があると、記録媒体に記録された各動画像の撮影日の一覧を表示する。そして、この中から、何れかの日付を選択すると、選択された撮影日の動画像を自動的に検出し、図２、図３の処理と同様にダイジェストを生成する。
【００３１】
また、本実施形態では、ダイジェスト再生の指示があった当日に撮影された動画像のダイジェストを生成した。これ以外にも、撮影日の情報に基づいて、指定された日時に基づいて決定した所定の期間、例えば年、月、或いは、時（例えば、今からｎ時間前までの間に撮影された動画など）に撮影された動画像を自動的に検出し、ダイジェストを作成するようにしてもよい。このとき、動画像を検出する期間をユーザが指定するようにしてもよい。
【００３２】
例えば、指定された月に撮影された動画像のダイジェストを生成する場合、各動画ファイルの撮影日の情報に基づいて、指定された月に撮影された動画ファイルを自動的に検出する。そして、この検出された動画像のダイジェストを作成する。
【００３３】
（本発明に係る他の実施の形態）
前述した本発明の実施の形態におけるビデオカメラを構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００３４】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００３５】
なお、本発明は、前述した画像処理方法における各工程を実行するソフトウェアのプログラムを、システムあるいは装置に直接、あるいは遠隔から供給する。実施の形態では図２、図３に示すフローチャートに対応したプログラムを供給する。そして、そのシステムあるいは装置のコンピュータが前記供給されたプログラムコードを読み出して実行することによっても達成される場合を含む。
【００３６】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００３７】
その場合、プログラムの機能を有していれば、オブジェクトコード、インタプリタにより実行されるプログラム、ＯＳに供給するスクリプトデータ等の形態であってもよい。
【００３８】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【図１】
2011060391.tif 000003
【図２】
2011060391.tif 000004
【図３】
2011060391.tif 000005